【事件の表示】
　特願２００９−２０９９３６「遊技機」拒絶査定不服審判事件〔平成２１年１２月１０日出願公開、特開２００９−２８５５０１〕について、次のとおり審決する。
【結　論】
　本件審判の請求は、成り立たない。
【理　由】
１．手続の経緯 
　本願は、平成１８年１１月１４日に出願した特願２００６−３０７８７６号（国内優先権主張、平成１８年３月９日）の一部を分割して、平成２１年９月１１日に新たな特許出願としたものであって、
　平成２２年１月７日付けで拒絶理由が通知され、これに応答して同年３月１９日付けで手続補正書が提出され、
　平成２２年４月１９日付けで最後の拒絶理由通知が通知され、これに応答して同年６月２１日付けで手続補正書が提出されたが、
　平成２２年７月７日付けで、前記平成２２年６月２１日付け手続補正を却下するとともに、同日付けで拒絶査定がされたため、
　これを不服として平成２２年１０月８日付けで拒絶査定不服審判が請求されるとともに、同日付けで手続補正がされたものである。
　
　
２．平成２２年１０月８日付けの手続補正についての補正却下の決定
　
［補正却下の決定の結論］
　平成２２年１０月８日付けの手続補正を却下する。
　
［理由］
(1) 本願補正発明
　平成２２年１０月８日付け手続補正により、特許請求の範囲は、
「　　【請求項１】
　遊技球が流下する遊技領域に、表示遊技を行う表示部を有する可変表示装置と、遊技球の入賞により前記表示遊技の表示開始条件を付与可能な始動入賞口と、を備えた遊技機において、
　前記表示部の下側に設けられ、前記遊技領域から受け入れた遊技球が左右方向に転動可能な転動面を有する遊技球転動部と、
　前記転動面の右側の遊技球が流下しない領域に設けられ、前記表示遊技の演出動作を行う演出装置と、を備え、
　前記遊技球転動部は、前記転動面の右端縁より上方に立ち上がる乗り越え防止壁を有し、
　前記乗り越え防止壁は、前記遊技球転動部と、前記転動面の右側に設けられる前記演出装置と、を当該乗り越え防止壁の壁面の上端まで仕切り、該上端の上方は開放されていることを特徴とする遊技機。
　　【請求項２】
　前記可変表示装置は、前記表示部の上端側を後方寄りに傾斜して配設され、
　前記遊技球転動部は、前記転動面の右端縁であり、かつ、前記乗り越え防止壁の後方側に沿って延出する球誘導壁を備えることを特徴とする請求項１に記載の遊技機。
　　【請求項３】
　前記遊技領域を流下する遊技球を流入可能な遊技球入口と、前記遊技球入口から流入した遊技球を前記転動面の左側から流出させる遊技球出口と、を備え、
　前記乗り越え防止壁は、前記遊技球出口側から転動した遊技球を前記遊技球出口側へと戻すように転動させることを特徴とする請求項１または２に記載の遊技機。」
　に補正された。（以下、この補正を「本件補正」という。）
　
　
(2) 補正の目的
　本件補正は、補正前の請求項１における、「演出装置」が設けられる位置を、
「転動面の右側」から「転動面の右側の遊技球が流下しない領域」に補正するものである。
　本件補正は、「演出装置」が設けられる位置を技術事項として限定したものであるから、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の請求項１に記載された発明（以下、「本願補正発明」という。）が特許出願の際独立して特許を受けることができるものであるか否か（平成１８年法律第５５号改正附則第３条第１項によりなお従前の例によるとされる同法による改正前の特許法第１７条の２第５項において準用する同法第１２６条第５項の規定に適合するか）について、以下検討する。
　
　
(3) 引用文献に記載された事項
　平成２２年４月１９日付け拒絶理由通知書において引用文献１として引用された特開２００５−１５２４８９号公報（以下「引用文献１」という。）には、図面とともに、以下の事項が記載されている。
　
(ア)「【００４６】
　図１に示す一実施例の弾球遊技機１は、遊技媒体として遊技球を用いるパチンコ遊技機であって、遊技盤３の縁に配置された外レール４及び内レール５で包囲される遊技領域６が前記遊技盤３上に設けられている。前記遊技領域６の中心線上にその上部から下部に向かって順にセンター役物９、始動入賞口１０、特別電動役物である大入賞口１５、アウト口１７が配設され、また中央左には普通図柄変動開始用ゲート１９、その下側に風車２２、さらにその下方左右に左袖入賞口２３と右袖入賞口２５、その下方に左落とし入賞口２７と右落とし入賞口２９が配設されている。前記遊技領域６には、前記遊技領域６に打ち込まれた遊技球の自由な流下を阻止し、流下方向を調整する誘導釘Ｊが立設されている。」
　
(イ)「【００４８】
　前記センター役物９は表示装置（請求項５の「遊技状態を報知する電気的遊技装置」に相当する。）９００と、前記表示装置９００の前面外周を覆う装飾部材９１０とよりなる。前記表示装置９００は、前記表示装置９００の大部分を占める特別図柄表示部９０１と、前記特別図柄表示部９０１の左下に組み込まれた普通図柄表示部９０２とで構成される。前記特別図柄表示部９０１は、液晶，ドットマトリックス若しくはＬＥＤ表示装置等からなる。本実施例では、液晶表示器（ＴＦＴ−ＬＣＤモジュール）で構成される。前記普通図柄表示部４５は、前記液晶表示器の一部を表示領域としている。
【００４９】
　前記特別図柄表示部９０１は、図柄を可変表示可能なものとされ、左右に並ぶ左側表示領域、中央表示領域、右側表示領域の３つに分割された特別図柄表示領域を有し、前記特別図柄表示領域に大当たりの当否判定結果用の特別図柄が表示される。前記左側表示領域には左特別図柄が、中央表示領域には中特別図柄が、右側表示領域には右特別図柄が変動表示及び停止表示可能とされ、停止表示された図柄組合せによって当否判定結果が表示され、それによって遊技者に当否判定結果（請求項５における「遊技状態」の一種）を報知する。本実施例における前記左側表示領域、中央表示領域、右側表示領域にそれぞれ表示される特別図柄は、『０，１，２，３，４，５，６，７，８，９，１０，１１』の１２種類の図柄とされ、所定条件に起因して変動及び停止表示される。また、前記特別図柄表示部９０１には、前記特別図柄とは異なる画像、例えば前記特別図柄とは異なる他の図柄、キャラクター画像、背景画像、文字画像等が前記特別図柄に加えて表示可能とされ、前記他の図柄、キャラクター画像、背景画像、文字画像等が特別図柄の変動開始等の所定条件に起因して変動表示可能となっている。」
　
(ウ)「【００５４】
　前記転動通路面９４９は、前記転動通路空間９７１に進入してきた遊技球が転動する転動通路床面に相当するもので、本実施例では、前記揺動通路部（第二転動通路空間）９７３に設けられている。さらに本実施例では、前記転動通路面９４９は、前記遊技盤３の前面に対して略平行な第一転動通路面９４２と、前記第一転動通路面９４２の前方下方側にあって前記遊技盤３の前面に対して略平行な第二転動通路面９４３を備え、前記上側の第一転動通路面９４２に前記案内通路部（第一転動通路空間）９７５から遊技球が進入して前記第一転動通路面９４２を転動可能とされている。さらに、本実施例では、前記第一転動通路面９４２には、前記遊技盤３の前方側に、かつ前記接触防止部９４５との間に遊技球の転動可能な間隔をあけて遊技球落下防止壁９４６が、前記第一転動通路面９４２の水平方向中央部に所定長で形成されている。なお、前記第一転動通路面９４２の両端９４７は所定長にわたって前記遊技球落下防止壁９４６が存在せず、前記第一転動通路面９４２の両端９４７の前端側から前記第二転動通路面９４３へ遊技球が落下可能にされている。」
　
(エ)「【００６４】
　前記転動通路面用部材９４１は、請求項１及び４における、遊技盤に対して前後方向に組み合わされる第一区画部材又は第二区画部材に相当し、本実施例では、前方側から組み合わされる第二区画部材の一部とされている。前記転動通路面用部材９４１は、図７にも示すように、前記第一転動通路面９４２の前方下方に前記第二転動通路面９４３が並設され、かつ前記第一転動通路面９４２と前記第二転動通路面９４３が互いに水平方向に沿って形成された横長な部材からなり、前記第一転動通路面９４２の後端には略中央に、前記遊技球落下用孔９１３の一部を構成する略半円形の切り欠き９４４が形成され、前記切り欠き９４４の両側に前記接触防止部９４５が低い壁状に立設されている。前記第一転動通路面９４２の両端９４２ａ，９４２ｂは上方へ湾曲していて、一端（図示の例では左端）９４２ａが前記案内通路部用部材９５１の下端と当接するようになっている。前記第一転動通路面９４２の前端には、その両端付近９４７を除いて前記遊技球落下防止壁９４６が形成され、前記遊技球落下防止壁９４６の無い両端付近９４７から遊技球が前記第二転動通路面９４３へ落下可能にされている。前記第二転動通路面９４３は、中央部９４３ａが上方へ膨らんで湾曲した形状からなり、前記湾曲した中央部９４３ａの両側の前端が下方へ向けた凹部９４３ｂとされ、前記凹部９４３ｂから遊技球が下方へ落下可能に構成されている。なお第二転動通路面９４３の両端９４３ｃは垂直壁となって、それ以上遊技球が水平方向へ転動できないようになっている。」
　
(オ)「【００７０】
　このようにしてなる前記装飾部材９１０は、前記表示装置９００の前面外周を包囲するようにして前記遊技盤３の前面に、前記本体部材９３１の遊技盤取付部９３４をネジ止めすることにより取り付けられ、前記遊技球誘導部９６４の直下に前記始動入賞口１０が位置するように配設される。そして、前記遊技領域６を流下する遊技球が前記装飾部材６１０の遊技球進入部９５３から進入すると、前記遊技球は、前記案内通路部（前記第一転動通路空間）９７５を略垂直に流下して前記揺動通路部（前記第二転動通路空間）９７３の前記第一転動通路面９４２に至り、前記第一転動通路面９４２における前記立体装飾部９６７の前方を略水平方向へ転動する。その際、前記第一転動通路面９４２には前記接触防止部９４５が前記立体装飾部９６７の前方に形成されているため、前記案内通路部（前記第一転動通路空間）９７５から前記揺動通路部（前記第二転動通路空間）９７３の前記第一転動通路面９４２に至った遊技球は、前記接触防止部９４５の前面に沿って前方側へ進路変更しながら水平方向へ転動することになり、前記立体装飾部９６７に接触するのを避けて失速することなく転動することが可能になる。また、前記第一転動通路面９４２の水平方向の中央に至った遊技球は、前記遊技球落下用孔９６５から落下し、前記遊技球誘導部９６４を通って前記装飾装置９１０の前面下部の球出口９３５から排出され、前記装飾装置９１０の下方の前記始動入賞口１０へ誘導される。その際、前記第一転動通路面９４２の略中央部の前端には前記遊技球落下防止壁９４６が存在するため、前記第一転動通路面９４２の略中央部の前端から前記第二転動通路面９４３へ落下するのが低減され、前記遊技球落下用孔９６５から落下して前記遊技球誘導部９６４により前記始動入賞口１０へ誘導され易くなる。また、前記第一転動通路面９４２の両端付近では前記遊技球落下防止壁９４５が存在しないため、前記第一転動通路面９４２から前記第二転動通路面９４３へ落下するのが可能である。」
　
(カ)「【００７２】
　また、前記遊技盤３の背面には、前記始動入賞口１０に入球（入賞）した遊技球を検出する特別図柄変動開始スイッチ（始動入賞口センサー）が入球遊技球（入賞球）用通路に設けられており、該入球遊技球（入賞球）が検出されると、遊技の大当たりを判定するための大当たり判定用乱数が取得され、前記特別図柄柄表示部９０１で特別図柄の変動が開始される。そして、前記取得された大当たり判定用乱数が大当たりであったことを契機に、前記特別図柄表示部９０１で特別図柄が特定の図柄組み合わせで停止表示されて大当たりが表示される（請求項１における「遊技状態の報知」の一種に相当する。）と共に、大当たりまでの通常遊技に比べ遊技者にとって有利な特別遊技が実行される。」
　
　以上、（ア）ないし（カ）の記載、および図面（特に、図３〜９参照）を総合すると、引用文献１には、以下の発明が開示されていると認めることができる。
　
「遊技球が流下する遊技領域６に、
　特別図柄表示部９０１を有する表示装置９００と、始動入賞口１０と、を備えた弾球遊技機１において、
　前記特別図柄表示部９０１の下側に設けられ、前記遊技領域６から進入した遊技球が左右方向に転動可能な第二転動通路面９４３を有する揺動通路部（第二転動通路空間）９７３と、
　前記第二転動通路面９４３の右側の領域を含む領域に設けられた装飾部材９１０と、を備え、
　前記揺動通路部（第二転動通路空間）９７３は、前記第二転動通路面９４３の両端９４３ｃが、それ以上遊技球が水平方向を転動できないようにするための垂直壁となっており、
　前記垂直壁は、前記揺動通路部（第二転動通路空間）９７３と、前記装飾部材９１０のうち前記第二転動通路面９４３の右側に設けられる部分と、を当該垂直壁の上端まで仕切っている弾球遊技機１。」
（以下、この発明を「引用発明１」という。）
　
　
(4) 対比
　引用発明１における「弾球遊技機１」は、本願補正発明における「遊技機」に相当する。
　
　引用発明１における「特別図柄表示部９０１」及び「始動入賞口」について、
　前記(カ)には「また、前記遊技盤３の背面には、前記始動入賞口１０に入球（入賞）した遊技球を検出する特別図柄変動開始スイッチ（始動入賞口センサー）が入球遊技球（入賞球）用通路に設けられており、該入球遊技球（入賞球）が検出されると、遊技の大当たりを判定するための大当たり判定用乱数が取得され、前記特別図柄柄表示部９０１で特別図柄の変動が開始される。」と記載されているので、
　引用発明１における、前記「特別図柄の変動」を行う「特別図柄表示部９０１」と、遊技球が入賞した場合に前記「特別図柄の変動」を開始することになる前記「始動入賞口１０」は、
　本願補正発明における、「表示遊技を行う表示部」と、「遊技球の入賞により前記表示遊技の表示開始条件を付与可能な始動入賞口」に相当する。
　またこのため、引用発明１における「特別図柄表示部９０１を有する表示装置９００」は、本願補正発明における「表示遊技を行う表示部を有する可変表示装置」に相当する。
　
　引用発明１における、「前記遊技領域６から進入した遊技球が左右方向に転動可能な第二転動通路面９４３」及びこれを有する「揺動通路部（第二転動通路空間）９７３」は、
　本願補正発明における、「前記遊技領域から受け入れた遊技球が左右方向に転動可能な転動面」及びこれを有する「遊技球転動部」に相当する。
　
　引用発明１における「前記第二転動通路面９４３の両端９４３ｃが、それ以上遊技球が水平方向を転動できないようにするための垂直壁となって」いる点について、
　当該「それ以上遊技球が水平方向を転動できないようにするため」と、
　引用文献１の図６の記載からみて、前記「垂直壁」のうち右側のものは「第二転動通路面９４３」の右端縁より垂直上方に立ち上がっている点から、
　前記「垂直壁」は、「前記第二転動通路面９４３の両端９４３ｃ」がなだらかに斜めに立ち上がる場合等と比較して、遊技球が乗り越えることを防止していると認められる。
　よって、引用発明１における前記「垂直壁」のうち右側のものは、
　本願補正発明における、「前記転動面の右端縁より上方に立ち上がる乗り越え防止壁」に相当する。
　
　以上のことから、両者は、
＜一致点＞
「遊技球が流下する遊技領域に、表示遊技を行う表示部を有する可変表示装置と、遊技球の入賞により前記表示遊技の表示開始条件を付与可能な始動入賞口と、を備えた遊技機において、
　前記表示部の下側に設けられ、前記遊技領域から受け入れた遊技球が左右方向に転動可能な転動面を有する遊技球転動部と、
　前記転動面の右側に設けられた、所定の構成と、を備え、
　前記遊技球転動部は、前記転動面の右端縁より上方に立ち上がる乗り越え防止壁を有し、
　前記乗り越え防止壁は、前記遊技球転動部と、前記転動面の右側に設けられた前記所定の構成と、を当該乗り越え防止壁の壁面の上端まで仕切る遊技機。」
　である点で一致し、以下の点で相違している。
　
＜相違点１＞
　本願補正発明における「転動面の右側」が「遊技球が流下しない領域」であるのに対し、
　引用発明１における「揺動通路部（第二転動通路空間）９７３」の右側は遊技球が流下しない領域か否か不明である点。
　
＜相違点２＞
　本願補正発明において、「前記転動面の右側」に設けられ、「遊技球転動部」と「乗り越え防止壁の壁面の上端まで仕切」られるものが、「表示遊技の演出動作を行う演出装置」であるのに対し、
　引用発明１において、「揺動通路部（第二転動通路空間）９７３」の右側に設けられ、「揺動通路部（第二転動通路空間）９７３」と「垂直壁」の壁面の上端まで仕切られるものは、表示遊技の演出動作を行うか否か不明な「装飾部材９１０」である点。
　
＜相違点３＞
　本願補正発明の「当該乗り越え防止壁の壁面の上端」について、「該上端の上方は開放されている」のに対し、
　引用発明１における「垂直壁」の壁面の上端の上方は開放されているか否か不明である点。
　
　
(5) 判断
＜相違点１＞及び＜相違点２＞について、＜相違点１＞及び＜相違点２＞は密接に関連するので、あわせて判断する。
　前置報告において引用文献２として引用された特開２００５−３２３６５３号公報（以下「引用文献２」という。）には、
　遊技球が流下する遊技領域に、変動表示ゲームを行う表示部２１を有する表示装置２０と、遊技球の入賞により前記変動表示ゲームを開始する条件を付与可能な始動入賞口と、を備えた遊技機において、（特に【００２７】〜【００２８】、【００３４】、【０１３２】）
　前記表示部２１の下側に設けられ、前記遊技領域から受け入れた遊技球が左右方向に転動可能なステージ４８１を有するステージ構成部材４８と、（特に【００５３】〜【００５５】）
　装飾鎧部材４４によって形成された遊技球が流下しない領域に設けられ、前記変動表示ゲームの動作演出を行う可動演出装置５０であって、前記ステージ４８１の概ね右側に位置する第３キャラクタ部５３を含むものと、（特に【００４４】〜【００４７】、【０１３４】〜【０１３６】）
　を備えた発明が開示されている。
　前記「変動表示ゲーム」、「表示部２１」、「表示装置２０」、「ステージ４８１」、「ステージ構成部材４８」及び「動作演出」は、
　本願補正発明における「表示遊技」、「表示部」、「可変表示装置」、「転動面」、「遊技球転動部」及び「演出動作」に相当する。
　前記「第３キャラクタ部５３」及びこれを含む「可動演出装置５０」は、転動面及び乗り越え防止壁との相対的な位置関係を除き、本願補正発明における「演出装置」に相当する。
　よって、引用発明１における「装飾部材９１０」の一部であって「第二転動通路面９４３」と「垂直壁」の壁面の上端まで仕切られた部分に、引用文献２に開示された、「装飾鎧部材４４」及び「可動演出装置５０」を適用して、＜相違点１＞及び＜相違点２＞に係る構成とすることは、当業者が容易に想到しうるものである。
　
＜相違点３＞について、下記(A)又は(B)。
(A) 本願の請求項１に明記された事項ではないが、平成２２年１０月８日付け審判請求書に記載された作用効果ｂを考慮した上で、本願補正発明における「乗り越え防止壁の壁面の上端」の「上方」の「開放されている」空間を、「演出装置」が「演出動作」を行う空間であると解する。
　引用文献２の全図面の記載から、前記「第３キャラクタ部５３」を含む「可動演出装置５０」が動作する範囲となる空間は、これらが動作した際にその他の部材と干渉しない程度に開放されていると認められる。
　よって、引用発明１における「装飾部材９１０」の一部であって「第二転動通路面９４３」と「垂直壁」の壁面の上端まで仕切られた部分に、引用文献２に開示された、装飾部材とともに設けられる「可動演出装置５０」を適用する際に、
　当該「可動演出装置５０」がその他の部材と干渉しないで動作できる程度に開放された、当該「可動演出装置５０」が動作する範囲となる空間を、前記「垂直壁」の壁面の上端の上方に設定して、＜相違点３＞に係る構成とすることは、当業者が適宜なしうるものである。
　
(B) 本願補正発明における「演出動作」を行う「演出装置」は、「乗り越え防止壁」の右側に設けられたものであるが、
　当該「演出装置」の「演出動作」が、「乗り越え防止壁の壁面の上端」の「上方」の「開放されている」空間で行われる点は、本願の請求項１には何ら記載されていないので、
　本願補正発明における前記「開放されている」空間は、「演出装置」が「演出動作」を行う範囲であるものに限定されず、「演出装置」及びその「演出動作」とは無関係なものを含む。
　よって、引用発明１における「垂直壁」の壁面の上端の上方を適宜開放して＜相違点３＞に係る構成とすることは、当業者が適宜なしうるものであり、その際に必然的に奏される効果も予測しうる程度のものである。
　
＜相違点１＞〜＜相違点３＞についての判断のまとめ
　したがって、本願補正発明は、引用発明１及び引用文献２に開示された発明に基づいて、当業者が容易に発明をすることができたものであるから、
　本願補正発明は、特許法第２９条第２項の規定により、その特許出願の際に独立して特許を受けることができない。
　
　
(6) むすび
　以上のとおり、本件補正は、前記改正前の特許法１７条の２第５項で準用する同法１２６条第５項の規定に違反するものであり、同法１５９条第１項において読み替えて準用する同法５３条第１項の規定により却下されるべきものである。
　
　
３．本願発明について
(1) 本願発明
　平成２２年１０月８日付けの手続補正は前記のとおり却下されたので、本出願に係る発明は、平成２２年３月１９日付け手続補正書で補正された特許請求の範囲により特定されるとおりのものである。
　そして、その請求項１に係る発明（以下「本願発明」という。）は、次のとおりである。
　
「　　【請求項１】
　遊技球が流下する遊技領域に、表示遊技を行う表示部を有する可変表示装置と、遊技球の入賞により前記表示遊技の表示開始条件を付与可能な始動入賞口と、を備えた遊技機において、
　前記表示部の下側に設けられ、前記遊技領域から受け入れた遊技球が左右方向に転動可能な転動面を有する遊技球転動部と、
　前記転動面の右側に設けられ、前記表示遊技の演出動作を行う演出装置と、を備え、
　前記遊技球転動部は、前記転動面の右端縁より上方に立ち上がる乗り越え防止壁を有し、
　前記乗り越え防止壁は、前記遊技球転動部と、前記転動面の右側に設けられる前記演出装置と、を当該乗り越え防止壁の壁面の上端まで仕切り、該上端の上方は開放されていることを特徴とする遊技機。」
　
　
(2) 引用文献に記載された事項
　平成２２年４月１９日付け拒絶理由通知書において引用文献１として引用された特開２００５−１５２４８９号公報（引用文献１）に記載された事項及び引用文献１に開示された発明（引用発明１）は、前記２．に記載したとおりである。
　
　
(3) 対比
　本願発明（補正前の請求項１に係る発明）は、前記２．で検討した本願補正発明（補正後の請求項１に係る発明）における、「演出装置」が設けられる位置である「転動面の右側の遊技球が流下しない領域」を、「転動面の右側」とするものであるから、
　本願発明は、本願補正発明から、「演出装置」が設けられる位置が「遊技球が流下しない領域」である点を削除したものである。
　この削除された点と、前記２．に記載した本願補正発明と引用発明１との対比を考慮すると、本願発明と引用発明１とは、
＜一致点＞
「遊技球が流下する遊技領域に、表示遊技を行う表示部を有する可変表示装置と、遊技球の入賞により前記表示遊技の表示開始条件を付与可能な始動入賞口と、を備えた遊技機において、
　前記表示部の下側に設けられ、前記遊技領域から受け入れた遊技球が左右方向に転動可能な転動面を有する遊技球転動部と、
　前記転動面の右側に設けられた、所定の構成と、を備え、
　前記遊技球転動部は、前記転動面の右端縁より上方に立ち上がる乗り越え防止壁を有し、
　前記乗り越え防止壁は、前記遊技球転動部と、前記転動面の右側に設けられた前記所定の構成と、を当該乗り越え防止壁の壁面の上端まで仕切る遊技機。」
　である点で一致し、以下の点で相違している。
　
＜相違点１＞
　本願発明において、「前記転動面の右側に設けられ」、「遊技球転動部」と「乗り越え防止壁の壁面の上端まで仕切」られるものが、「表示遊技の演出動作を行う演出装置」であるのに対し、
　引用発明１において、「揺動通路部（第二転動通路空間）９７３」の右側に設けられ、「揺動通路部（第二転動通路空間）９７３」と「垂直壁」の壁面の上端まで仕切られるものは、表示遊技の演出動作を行うか否か不明な「装飾部材９１０」である点。
　
＜相違点２＞
　本願発明の「当該乗り越え防止壁の壁面の上端」について、「該上端の上方は開放されている」のに対し、
　引用発明１における「垂直壁」の壁面の上端の上方は開放されているか否か不明である点。
　
　
(4) 判断
＜相違点１＞について
　引用発明１における「装飾部材９１０」は、「第二転動通路面９４３」の右側であって、「垂直壁」の壁面の上端まで仕切られた、それ以上遊技球が転動できない領域に、その一部が設けられている。
　
　平成２２年４月１９日付け拒絶理由通知書において引用文献２として引用された特開２００４−１０５５１３号公報（以下「引用文献３」という。）には、
　表示画面４ｇでの表示内容に関連した演出動作を行う可動演出装置８００と、表示画面４ｇの下側に位置する遊技球転動部９８０と、（特に【００４２】〜【００４３】）
　を備えた弾球遊技機の発明が開示されている。
　前記引用文献３には、
　前記可動演出装置８００が装飾も行う点と、（特に【００６９】、【００９２】）
　前記可動演出装置８００の可動演出部材８１０が、遊技球と衝突しないように設けられる点と、（【０１１１】〜【０１１４】）
　前記可動演出装置８００の可動演出部材８１０が、前記遊技球転動部９８０のうちの第１転動部９８１の右側に位置している点と、（特に図３）
　が開示されている。
　
　よって、引用発明１における「装飾部材９１０」の一部であって、「第二転動通路面９４３」と「垂直壁」の壁面の上端まで仕切られた、それ以上遊技球が転動できない部分に、
　引用文献３に開示された、装飾も行う「可動演出装置８００」を適用して、＜相違点１＞に係る構成とすることは、当業者が容易に想到しうるものである。
　
＜相違点２＞について、下記(A)又は(B)
(A) 本願の請求項１に明記された事項ではないが、平成２２年３月１９日付け意見書に記載された作用効果ｂを考慮した上で、本願発明における「乗り越え防止壁の壁面の上端」の「上方」の「開放されている」空間を、「演出装置」が「演出動作」を行う空間であると解する。
　引用文献３には、前記「可動演出部材８１０」が前記「表示画面４ｇ」の方向に変位することにより、その上半分が、前記「表示画面４ｇ」の前面側であって前記「第１転動部９８１」の両端側の上方に位置する空間に突出する点（特に【００７９】、図２、８）が開示されており、
　当該突出する空間は、前記「可動演出部材８１０」と他の部材とが干渉しない程度に開放されていると認められる。
　よって、引用発明１における「装飾部材９１０」の一部であって、「第二転動通路面９４３」と「垂直壁」の壁面の上端まで仕切られた、それ以上遊技球が転動できない部分に、
　引用文献３に開示された、装飾も行う「可動演出装置８００」を適用する際に、
　前記「可動演出装置８００」の「可動演出部材８１０」及び前記「垂直壁」を、両者が干渉しない程度にまで近づけて、＜相違点２＞に係る構成とすることは、当業者が適宜なしうるものである。
　
(B) 前記２．(5)＜相違点３＞(B) と同趣旨。
　
＜相違点１＞及び＜相違点２＞についての判断のまとめ
　したがって、本願発明は、引用発明１及び引用文献３に開示された発明に基づいて、当業者が容易に発明をすることができたものであるから、
　本願発明は、特許法第２９条第２項の規定により、その特許出願の際に独立して特許を受けることができない。
　
　
(5) むすび
　以上のとおり、本願発明は、引用発明１及び引用文献３に開示された発明に基づいて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。